(57)【要約】【課題】  特段の事前準備を行うことなく、学習効果の高い語学学習を手軽に行うことを可能にする技術を提供する。【解決手段】  文章が書き込まれた文書データと該文章を読み上げた音声に対応する音声データとを記憶し、該文書データを送信した後に、その送信先から該音声データの送信を要求されたことを契機として該音声データを送信する送信装置と、前記送信装置から送信されてくる前記文章データを受信し該文書データに書き込まれている前記文章を表示しつつ、前記音声データの送信を前記送信装置へ要求し、前記送信装置から送信されてくる前記音声データに対応する音声を放音する通信端末とを有する通信システムを提供する。【選択図】      図１
2005265999.tif 000002
【特許請求の範囲】
【請求項１】
文章が書き込まれた文書データと該文章を読み上げた音声に対応する音声データとを記憶し、該文書データを送信した後に、その送信先から該音声データの送信を要求されたことを契機として該音声データを送信する送信装置と、
前記送信装置から送信されてくる前記文章データを受信し該文書データに書き込まれている前記文章を表示しつつ、前記音声データの送信を前記送信装置へ要求し、前記送信装置から送信されてくる前記音声データに対応する音声を放音する通信端末と
を有する通信システム。
【請求項２】
前記送信装置は、前記文章を異なる速さで読み上げた複数の前記音声データを記憶しており、
前記文書データには、複数の前記音声データの各々を識別する識別子に対応付けて該音声データに対応する音声の速さを表すデータが書き込まれており、
前記通信端末は、前記送信装置から受信した前記文書データに書き込まれている複数の前記識別子のうち、ユーザにより選択された前記識別子で識別される前記音声データの送信を前記送信装置へ要求する
ことを特徴とする請求項１に記載の通信システム。
【請求項３】
前記文章は特定国語で記述されており、
前記音声データは、前記文章を前記特定国語の発音規則にしたがって読み上げた音声に対応し、
前記送信装置は、前記文書データに書き込まれている前記文章を構成する単語又は文節又は文の前記特定国語とは異なる言語による翻訳文が書き込まれた翻訳文データを記憶しており、該翻訳文データの送信を要求された場合に該翻訳文データをその要求元へ送信し、
前記文書データには、前記翻訳文データを一意に識別する識別子が書き込まれており、
前記通信端末は、前記識別子に基づいて前記送信装置へ前記翻訳文データの送信を要求し、前記送信装置から送信されてくる前記翻訳文データを受信した場合には、該翻訳文データに書き込まれている前記翻訳文を表示する
ことを特徴とする請求項１に記載の通信システム。
【発明の詳細な説明】
【技術分野】
【０００１】
通信回線を介して教材を提供し学習支援を行う技術に関し、特に語学学習を支援する技術に関する。
【背景技術】
【０００２】
近年、インターネットなどの通信網を介して各種教材を提供し学習支援を行う技術（ｅラーニングとも呼ぶ）が種々提案されている。このような技術の一例としては、特許文献１に開示された技術が挙げられる。特許文献１に開示された技術では、例えば英語などの特定国語で文章が記述された文書データと、その特定国語の発音規則に即して上記文章を読み上げた音声に対応する音声データとを通信網を介して提供し、上記文章の読解（以下、リーディング）と上記音声の聞き取り（以下、リスニング）とを組み合わせて行えるようにすることによって、その特定国語の学習効果を向上させる技術が開示されている。
【０００３】
具体的には、特許文献１に開示された技術では、以下に述べるようにして上記リーディングとリスニングとを組み合わせて行うことを可能にしている。ユーザの利用する携帯電話機を収容し通信サービスを提供するネットワークに、上記音声データおよび文書データを記憶し管理するコンテンツサーバと、このコンテンツサーバおよび上記携帯電話機と通信する保管用サーバと、この保管用サーバと通信する端末装置とを接続しておく。上記保管用サーバは、上記音声データの配信を上記携帯電話機から要求されると、その音声データを上記コンテンツサーバからダウンロードし上記携帯電話機へ転送する一方、上記文書データの配信を要求されると、その文書データをダウンロードし上記端末装置へ転送する。この端末装置は保管用サーバからダウンロードされた文書データを印刷して出力する機能を備えており、上記携帯電話機のユーザは、上記端末装置に印刷させた文書データを用いてリーディングを行いつつ、上記音声データに対応する音声をその携帯電話機に再生させ、そのリスニングを行うことができる。
【０００４】
【特許文献１】特開２００２−３２８５９４号公報
【発明の開示】
【発明が解決しようとする課題】
【０００５】
しかしながら、特許文献１に開示された技術では、上記文書データを予め印刷しておくなどの事前準備を行っておく必要があり、例えば仕事の合間に生じた時間や出張中の移動時間などを利用して手軽に学習を進めることができないといった問題点がある。
本発明は、上記課題に鑑みて為されたものであり、特段の事前準備を行うことなく、学習効果の高い語学学習を手軽に行うことを可能にする技術を提供することを目的としている。
【課題を解決するための手段】
【０００６】
上記課題を解決するために、本発明は、文章が書き込まれた文書データと該文章を読み上げた音声に対応する音声データとを記憶し、該文書データを送信した後に、その送信先から該音声データの送信を要求されたことを契機として該音声データを送信する送信装置と、前記送信装置から送信されてくる前記文章データを受信し該文書データに書き込まれている前記文章を表示しつつ、前記音声データの送信を前記送信装置へ要求し、前記送信装置から送信されてくる前記音声データに対応する音声を放音する通信端末とを有する通信システムを提供する。
【０００７】
このような通信システムによれば、送信装置に記憶されている文書データと音声データのうち、まず、文書データが通信端末へ送信される。この文書データを受信した通信端末では、この文書データに書き込まれている文章が表示される。次いで、この通信端末は、上記文章を表示しつつ、音声データの送信を送信装置へ要求し、通信端末から音声データの送信を要求されたことを契機として、その音声データが送信装置から通信端末へ送信される。そして、この音声データを受信した通信端末は、上記文章を表示しつつ、その音声データに応じた音声を放音する。
【発明の効果】
【０００８】
本発明によれば、上記文章が特定国語で記述されており、上記音声データがその文章をその特定国語の発音規則にしたがって読み上げた音声に対応している場合には、その文章のリーディングとリスニングとを同時に行うことが可能であり、その特定国語を習得するための学習を効果的に進めることが可能になるといった効果を奏する。加えて、本発明によれば、上記文書データを予め印刷しておくといった事前準備を行っておく必要がなく、仕事の合間に生じた時間などを利用して上記学習を手軽に進めることが可能になるといった効果を奏する。
【発明を実施するための最良の形態】
【０００９】
以下、本発明を実施するための最良の形態について図面を参照しつつ説明する。
［Ａ．構成］
（Ａ−１：通信システムの構成）
図１は、本発明の１実施形態に係る通信システムの構成例を示すブロック図である。図１に示されているように、この通信システムは、移動電話網４０ｂと、ゲートウェイ（以下、「ＧＷ」）３０を介してインターネット１０に接続された移動パケット通信網４０ａと、この移動電話網４０ｂ又は移動パケット通信網４０ａに収容される通信端末５０とを有している。そして、上記インターネット１０には文書データ送信装置２０ａが接続されており、上記移動電話網４０ｂには音声データ送信装置２０ｂが接続されている。
【００１０】
ＧＷ３０は、インターネット１０における通信プロトコルと移動パケット通信網４０における通信プロトコルとを相互変換する機能を備えており、上記文書データ送信装置２０ａと移動パケット通信網４０ａに収容されている通信端末５０との間の通信を仲介するためのものである。移動パケット通信網４０ａは、自網の配下に在圏している通信端末５０を収容し蓄積交換方式の通信サービスを提供するものであり、移動電話網４０ｂは自網の配下に在圏している通信端末５０を収容し回線交換方式の通信サービスを提供するものである。
【００１１】
文書データ送信装置２０ａと音声データ送信装置２０ｂは、特定国語（例えば、英語）の学習を通信端末５０のユーザに行わせるための教材データを記憶しており、通信端末５０からの要求に応じて、係る教材データを通信端末５０へ送信することができる。より詳細に説明すると、文書データ送信装置２０ａは、上記特定国語で記述された文章を通信端末５０に表示させるために所定のマークアップ言語（例えば、Hyper Text Markup Language：以下、ＨＴＭＬ）で記述された文書データを上記教材データとして記憶しており、この文書データを移動パケット通信網４０ａを介して送信することができる。一方、音声データ送信装置２０ｂは、上記文章を上記特定国語の発音規則にしたがって所定の速度で読み上げた音声に対応する音声データを上記教材データとして記憶しており、この音声データに対応する音声信号を移動電話網４０ｂを介して送信することができる。なお、以下では、文書データ送信装置２０ａと音声データ送信装置２０ｂとの両者を区別する必要がない場合には、「送信装置２０」と表記する。また、本実施形態では、上記特定国語が英語である場合について説明するが、ドイツ語やフランス語など他の言語であっても良いことは勿論である。また、本実施形態では、上記文書データがＨＴＭＬで記述されている場合について説明するが、ＸＭＬ（eXtensible Markup Language）などの他のマークアップ言語で記述されていても良いことは勿論である。
【００１２】
通信端末５０は、例えば、マルチアクセス機能を備えた携帯電話機であり、移動パケット通信網４０ａを介して文書データ送信装置２０ａと蓄積交換方式で通信することや、移動電話網４０ｂを介して音声データ送信装置２０ｂと回線交換方式で通信することができる。ここで、マルチアクセス機能とは、上記蓄積交換方式の通信と上記回線交換方式の通信とを同時に行う機能のことである。また、この通信端末５０は、上記マークアップ言語を解釈しその解釈結果に応じて画像を表示するブラウザを備えており、文書データ送信装置２０ａから受信した文書データをこのブラウザを用いて解釈しその解釈結果に応じた画像（すなわち、上記特定国語で記述された文章）を表示することができる。なお、本実施形態では、通信端末５０がマルチアクセス機能とブラウザとを備えた携帯電話機である場合について説明するが、マルチアクセス機能とブラウザとを備えた通信端末であれば、ＰＨＳ（Personal Handyphone System：登録商標）であっても良い。
【００１３】
図１に示される通信システムでは、文書データ送信装置２０ａから送信されてくる文書データにその文書データに記述されている文章に対応する音声データを一意に識別する識別子（例えば、音声データ送信装置２０ｂに割り当てられている電話番号などの通信アドレス）が埋め込まれており、上記文書データに応じた画像を通信端末５０に表示させつつ、上記識別子を用いて音声データ送信装置２０ｂへ宛てて発呼し、音声データ送信装置２０ｂから送信されてくる音声信号に応じた音声を通信端末５０に放音させることができる。これにより、通信端末５０のユーザは、上記特定国語で記述された文章を閲覧しつつ、その文章をその特定国語の発音規則にしたがって所定の速度で読み上げた音声を受聴することができ、その特定国語を効率良く学習することが可能になるといった効果を奏する。以下では、本実施形態の特徴を顕著に示す送信装置２０を中心に説明する。
【００１４】
（Ａ−２：送信装置２０の構成）
図２は、送信装置２０の構成例を示すブロック図である。図２に示されているように送信装置２０は、制御部２１０と、通信インターフェース（以下、「ＩＦ」）部２２０と、記憶部２３０と、これら各構成要素間のデータ授受を仲介するバス２４０とを備えている。
【００１５】
制御部２１０は、例えば、ＣＰＵ（Central Processing Unit）であり、後述する記憶部２３０に格納されている各種ソフトウェアにしたがった処理を行うことによって、本実施形態に係る送信装置２０に特有な機能を実現するためのものである。文書データ送信装置２０ａの通信ＩＦ部２２０は、インターネット１０に接続されており、インターネット１０を介して送信されてくるデータを受信し制御部２１０へ引渡す一方、制御部２１０から引渡されたデータをインターネット１０へ送出するためのものである。音声データ送信装置２０ｂの通信ＩＦ部２２０は、移動電話網４０ｂに接続されており、移動電話網４０ｂを介して送信されてくるデータを受信し制御部２１０へ引渡す一方、制御部２１０から引渡されたデータを移動電話網４０ｂへ送出するためのものである。
【００１６】
記憶部２３０は、ハードディスクなどで構成された不揮発性記憶部２３０ａとＲＡＭ（Random Access Memory）などで構成された揮発性記憶部２３０ｂとを含んでいる。不揮発性記憶部２３０ａには、上記特定国語の学習を通信端末５０のユーザに行わせるためのデータと、このデータを上記通信端末５０からの要求に応じて送信する処理を制御部２１０に行わせるためのソフトウェアが格納されている。一方、揮発性記憶部２３０ｂは、上記ソフトウェアにしたがって作動している制御部２１０によってワークエリアとして利用される。
【００１７】
より詳細に説明すると、文書データ送信装置２０ａの不揮発性記憶部２３０ａには、上述した文書データとこの文書データを通信端末５０へ送信するための文書データ送信ソフトウェアとが格納されている。図３は、上記文書データの一例（図３（ａ））とその文書データの解釈結果に応じて通信端末５０に表示される画像（図３（ｂ））の一例を示す図である。図３（ａ）に示されているように、この文書データには、上記特定国語で記述された文章３１０の他に、前述した音声データを一意に識別する識別子（本実施形態では、音声データ送信装置２０ｂに割り当てられている通信アドレス"0123456789"）３２０が埋め込まれている。図３（ａ）に示されているように、この識別子３２０には、タグ（本実施形態では、文字列“音声再生”）３３０が対応付けられている。図３（ａ）に示す文書データをブラウザを用いて解釈し、図３（ｂ）に示す画像が表示されている通信端末５０において、タグ３３０をクリックする旨の操作が為されると、通信端末５０は上記タグ３３０に対応付けられている識別子３２０宛てに発呼する。一方、音声データ送信装置２０ｂの不揮発性記憶部２３０ａには上記音声データと、通信端末５０からの発呼に応じてその音声データを再生し、その再生結果に応じた音声信号を移動電話網４０ｂを介して通信端末５０へ送信する処理を制御部２１０に行わせる音声送信ソフトウェアとが格納されている。
【００１８】
以上に説明したように、送信装置２０の構成は、一般的なコンピュータ装置の構成と同一であり、記憶部２３０に格納されている各種ソフトウェアにしたがった処理を制御部２１０に行わせることによって、本実施形態に係る送信装置２０に特有な機能が付与される。なお、本実施形態では、上述した如くソフトウェアモジュールで本発明に係る送信装置に特有な機能を実現する場合について説明したが、これら各機能をハードウェアモジュールで実現しそのハードウェアモジュールを組み合わせることによって本発明に係る送信装置を実現しても良いことは勿論である。
【００１９】
［Ｂ．動作］
次いで、図１に示す通信システムにおいて通信端末５０および送信装置２０が行う動作について図面を参照しつつ説明する。なお、以下に説明する動作例では、文書データ送信装置２０ａの制御部２１０は、上述した文書データ送信ソフトウェアにしたがった作動しており、音声データ送信装置２０ｂの制御部２１０は、上述した音声送信ソフトウェアにしたがって作動しているものとする。
【００２０】
特定国語の学習を開始しようとするユーザは、まず、通信端末５０の操作部（図示省略）を操作してブラウザを起動し、上記文書データのＵＲＬ（Uniform Resource Locator）を入力するなど、その文書データの取得を指示する。図４に示されているように、通信端末５０は、上記文書データの取得を指示されると、上記文書データの送信を要求する旨の通信メッセージ（以下、「文書データ送信要求」）を生成し、上記ＵＲＬで示される宛先（すなわち、文書データ送信装置２０ａ）へ宛てて送信する（ステップＳＡ１）。このようにして通信端末５０から送信された文書データ送信要求は、移動パケット通信網４０ａ、ＧＷ３０およびインターネット１０を介して文書データ送信装置２０ａへ到達する。
【００２１】
文書データ送信装置２０ａの制御部２１０は、上記文書データ送信要求を受信（ステップＳＡ２）すると、その文書データ送信要求にて送信を要求された文書データ（図３（ａ）参照）を記憶部２３０から読み出し、その文書データを内包した応答メッセージを上記文書データ送信要求の送信元（すなわち、通信端末５０）へ宛てて送信する（ステップＳＡ３）。このようにして送信された応答メッセージは、インターネット１０、ＧＷ３０および移動パケット通信網４０ａを介して通信端末５０へ到達する。
【００２２】
通信端末５０は、上記応答メッセージを受信すると、この応答メッセージに内包されている文書データをブラウザを用いて解釈し、その解釈結果に応じた画像を表示部（図示省略）に表示する（ステップＳＡ４）。この結果、本実施形態では、図３（ｂ）に示す画像が通信端末５０の表示部に表示される。図３（ｂ）に示されているように、通信端末５０の表示部には上記特定国語で記述された文章３１０が表示されるので、ユーザはその文章を読解し上記特定国語の学習を行うことができる。
【００２３】
図３（ｂ）に示す画像が通信端末５０の表示部に表示されている状況下で、ユーザが操作部を操作して図３（ｂ）のタグ３３０がクリックされると、通信端末５０は前述したマルチアクセス機能を用いて、このタグ３３０対応付けて文書データに埋め込まれている識別子３２０宛てに発呼する（ステップＳＡ５）。このような発呼が為されると、移動電話網４０ｂを介して音声データ送信装置２０ｂに着呼する（ステップＳＡ６）。
【００２４】
音声データ送信装置２０ｂの制御部２１０は、上記着呼に応じて上記音声データを再生し、その再生結果に応じた音声信号を移動電話網４０ｂを介して通信端末５０へ送信する（ステップＳＡ７）。このようにして音声データ送信装置２０ｂから送信された音声信号は通信端末５０によって受信され、その音声信号に応じた音声が通信端末５０の音声出力部（図示省略）から放音される（ステップＳＡ８）。これにより、通信端末５０のユーザは、上記文章を上記特定国語の発音規則にしたがって所定の速度で読み上げた音声を受聴することができる。
【００２５】
以上に説明したように、本実施形態によれば、特定国語で記述された文章が通信端末５０の表示部に表示されるとともに、その文章を上記特定国語の発音規則にしたがって読み上げた音声が通信端末５０の音声出力部から放音される。このようにして通信端末５０の表示部に表示される文章を読解しつつ、その通信端末５０から放音される音声を受聴することが可能になり、その特定国語の学習を効率的に行うことが可能になる。加えて、本実施形態によれば、上記文章を予め印刷しておくといった事前準備を行っておく必要がないため、仕事の合間に不意に生じた時間などを利用して手軽に上記学習を進めることが可能になるといった効果を奏する。
【００２６】
［Ｃ．変形］
以上、本発明の１実施形態について説明したが、係る実施形態を以下に述べるように変形しても良いことは勿論である。
【００２７】
（Ｃ−１：変形例１）
上述した実施形態では、特定国語で記述された文章が書き込まれた文書データとその文章を上記特定国語の発音規則にしたがって読み上げた音声に対応する音声データとを通信端末へ送信し、上記特定国語の学習を支援する場合、すなわち、本発明に係る通信システムを語学学習支援に適用する場合について説明した。しかしながら、本発明の適用対象は語学学習支援に限定されるものではないことは言うまでもない。
【００２８】
（Ｃ−２：変形例２）
上述した実施形態では、前述した文書データを通信端末５０へ送信するための文書データ送信装置と前述した音声データを格納した音声データ送信装置とを夫々個別の装置として設けておく場合について説明した。しかしながら、単一の送信装置に文書データと音声データとを通信端末５０に送信させるとしても勿論良い。また、上述した実施形態では、通信端末５０から送信された文書データ送信要求を受信した場合に、文書データ送信装置２０ａに該当する文書データを送信させる場合について説明したが、係る文書データを定期的に送信させるとしても良いことは勿論である。要は、音声データに先立って文書データを送信する態様であれば、何れであっても良い。
【００２９】
（Ｃ−３：変形例３）
上述した実施形態では、文章データを蓄積交換方式の通信網を介して送信し、音声データを回線交換方式の通信網を介して送信する場合、すなわち、文書データの送信に用いられる通信網と、音声データの送信に用いられる通信網とが異なる方式の通信網である場合について説明した。しかしながら、通信端末５０として、ＰＤＡ（Personal Digital Assistance）やパーソナルコンピュータなどを用いる場合には、文章データの送信に用いられる通信網と音声データの送信に用いられる通信網とが、同一の方式の通信網（例えば、蓄積交換網）であっても良い。
【００３０】
（Ｃ−４：変形例４）
上述した実施形態では、特定国語で記述された文章をその特定国語の発音規則にしたがって所定の速さ読み上げた音声に対応する音声データを音声データ装置装置に記憶させておく場合について説明した。しかしながら、上記文章を異なる速さで読み上げた複数の音声データを音声データ送信装置に記憶させておき、上記文書データには、各音声データを識別する識別子に対応付けてその音声データに対応する音声で読み上げられている速さを表すデータ（例えば、“標準の速さ”、“２倍速”、“４倍速”などの文字列）を書き込んでおくとしても勿論良い。このようにすると、通信端末５０のユーザは、自身の言語習得レベルに応じて好適な速さの音声データを選択しリスニングを行うことが可能になり、各自の習得レベルに応じて無理なく効果的な学習を行うことが可能になるといった効果を奏する。
【００３１】
（Ｃ−５：変形例５）
上述した実施形態では、特定国語で記述された文章を含む文書データを通信端末５０へ送信しその文章をユーザに閲覧させるとともに、その文章を上記特定国語の発音規則にしたがって読み上げた音声に対応する音声信号を通信端末５０に送信しその音声をユーザに受聴させることによって、その特定国語の学習を行わせる場合について説明した。これに加えて、上記文章の上記特定国語以外の言語（例えば、上記特定国語が英語である場合には、日本語）での翻訳文をユーザの所望に応じて表示させるようにしても勿論良い。このようなことは、以下のようにして実現される。図５は、本変形例に係る通信システムの構成例を示す図である。図５に示す通信システムが図１に示す通信システムと異なっている点は、以下に述べる２つの点である。第１に、上記翻訳文が所定のマークアップ言語で記述された翻訳文データを記憶している翻訳文データ送信装置２０ｃがインターネット１０に接続されている点である。そして、第２に、文書データ送信装置２０ａに格納されている文書データには、上記翻訳文データを一意に識別する翻訳文識別子が書き込まれている点である。図５に示す通信システムにおいては、通信端末５０のユーザは、文書データ送信装置２０ａから送信されてくる文書データに書き込まれている上記翻訳文識別子に基づいて上記翻訳文データを通信端末５０に取得させ、その翻訳文データに含まれている翻訳文を表示させることができる。これにより、上記ユーザは、上記特定国語で記述された文章のリーディングおよびリスニングに加え、その翻訳文を随時確認することが可能になり、その特定国語を効果的に学習することが可能になるといった効果を奏する。なお、本変形例では、上記文章の翻訳文を上記翻訳文データに含ませておく場合について説明したが、上記文章を構成する単語、文節および文などの構成単位毎に上記翻訳文データを作成し、各構成単位毎に対応する翻訳文データを一意に識別する翻訳文識別子を上記文書データに書き込んでおくとしても勿論良い。
【００３２】
（Ｃ−６：変形例６）
上述した実施形態では、本発明に係る通信システムに特徴的な送信装置の機能を実現させるためのソフトウェアやデータ（文書データや音声データ）が予め送信装置２０の不揮発性記憶部２３０ａに格納されている場合について説明した。しかしながら、例えばＣＤ−ＲＯＭ（Compact Disc-Read Only Memory）やＤＶＤ（Digital Versatile Disk）、フロッピー（登録商標）ディスクなどのコンピュータ装置読み取り可能な記録媒体に上記ソフトウェアやデータを記録させておき、係る記録媒体を用いて一般的なコンピュータ装置に上記ソフトウェアやデータをインストールさせることも可能である。このような態様によれば、一般的なコンピュータ装置に上記送信装置と同一の機能を追加することが可能になるといった効果を奏する。
【図面の簡単な説明】
【００３３】
【図１】本発明の１実施形態に係る通信システムの構成例を示すブロック図である。
【図２】同送信装置２０の構成例を示すブロック図である。
【図３】同文書データ送信装置２０ａから通信端末５０へ送信される文書データと同文書データにしたがって通信端末５０の表示部に表示される画像の一例を示す図である。
【図４】同通信システムにて通信端末５０と送信装置２０とが行う動作の流れを示すシーケンスフローチャートである。
【図５】変形例１に係る通信システムの構成例を示すブロック図である。
【符号の説明】
【００３４】
１０…インターネット、２０ａ…文書データ送信装置、２０ｂ…音声データ送信装置、３０…ＧＷ、４０ａ…移動パケット通信網、４０ｂ…移動電話網、５０…通信端末、２１０…制御部、２２０…通信ＩＦ部、２３０…記憶部、２３０ａ…不揮発性記憶部、２３０ｂ…揮発性記憶部、２４０…バス。
【図１】
2005265999.tif 000003
【図２】
2005265999.tif 000004
【図３】
2005265999.tif 000005
【図４】
2005265999.tif 000006
【図５】
2005265999.tif 000007